(57)【要約】  相互連結式取り付け装置は、一体に相互連結されている少なくとも２つの部分を含み、それら２つの部分の少なくとも一方が、取り付け器具を有する。この相互連結式取り付け装置は、その取り付け器具を有する部分のみの場合よりも、その取り付け器具からの大きい重量を支持することが可能である。
2019514502.tif 000002
【特許請求の範囲】
【請求項１】
第１部分と、
取り付け器具を含む第２部分と、
を備え、
前記第１部分が、前記第２部分と相互連結して単一の取り付け装置を形成するように適合されている、装置。
【請求項２】
前記第１部分及び前記第２部分が、前記第１部分と前記第２部分とを相互連結するための歯、前記第１部分と前記第２部分とを相互連結するピンを受け入れるための開口、及び、前記第１部分と前記第２部分とを結合するように適合されているテクスチャのうちの、少なくとも１つを備える、請求項１に記載の装置。
【請求項３】
前記第１部分及び前記第２部分の非相互連結側部が、前記単一の取り付け装置の一部として、１つ以上の追加部分を前記第１部分及び前記第２部分に隣接して追加するための、追加的な歯、追加的な開口、又は追加的なテクスチャを備える、請求項１又は２に記載の装置。
【請求項４】
前記取り付け器具が、フック、クリップ、ループ、及び鋸歯のうちの１つである、請求項１〜３のいずれか一項に記載の装置。
【請求項５】
前記第１部分が、前記第２部分と相互連結された場合にアーチ形状を形成する、請求項１に記載の装置。
【請求項６】
少なくとも１つの部分の裏側が、両面接着ストリップを含む、請求項１〜５のいずれか一項に記載の装置。
【請求項７】
前記取り付け器具が、前記部分の裏側が壁に接着されている間、前記単一の取り付け装置から鉛直方向に吊り下げられている物体を保持するように適合されており、単一の取り付け装置が、前記取り付け器具から鉛直方向に吊り下げられている前記物体からの鉛直力を、前記部分に分散させるように適合されている、請求項１に記載の装置。
【請求項８】
第１部分と、
第２部分と、
第３部分と、
を備え、
前記第１部分、前記第２部分、及び前記第３部分のうちの少なくとも１つが、取り付け器具を含み、前記部分が、一体に相互連結されて単一の取り付け装置を形成するように適合されている、装置。
【請求項９】
前記第１部分、前記第２部分、及び前記第３部分のうちの１つと相互連結して前記単一の取り付け装置を形成するように適合されている、第４部分を更に備える、請求項８に記載の装置。
【請求項１０】
前記第１部分、前記第２部分、及び前記第３部分が、前記部分を一体に相互連結して前記単一の取り付け装置を形成するための、歯、テクスチャ、及び、ピンを受け入れるための開口のうちの１つを含む、請求項８に記載の装置。
【請求項１１】
前記第１部分、前記第２部分、及び前記第３部分が前記開口を含む場合に、前記開口が、前記部分の頂部、中間部、及び底部のうちの少なくとも１つに沿って配置され、互いに位置合わせされている、請求項１０に記載の装置。
【請求項１２】
前記第１部分、前記第２部分、及び前記第３部分が、前記頂部、前記中間部、及び前記底部のうちの別の少なくとも１つに沿って、第２の開口を含む、請求項１１に記載の装置。
【請求項１３】
少なくとも１つの部分の裏側が、両面接着ストリップを含む、請求項８〜１１のいずれか一項に記載の装置。
【請求項１４】
第１部分と、取り付け器具を有する第２部分とを形成する工程と、
組み立てられた場合に単一の取り付け装置を形成する、互いに相互連結するための、前記部分のそれぞれの側部を製造する工程と
を含む方法。
【請求項１５】
形成する工程が、第３部分を形成する工程を含み、製造する工程が、組み立てられた場合に前記単一の取り付け装置を形成する、前記第１部分及び前記第２部分の少なくとも一方の前記側部と相互連結するための、前記第３部分の側部を製造する工程を更に含む、請求項１４に記載の方法。
【請求項１６】
製造する工程が、互いに相互連結するための、前記部分のそれぞれの前記側部上の相互連結歯、結合テクスチャ、及び、１つ以上のピンを受け入れるための開口のうちの１つを形成する工程を更に含む、請求項１４に記載の方法。
【請求項１７】
製造する工程が、少なくとも１つの部分の少なくとも１つの裏側に、取り外された場合に、前記少なくとも１つの部分の前記少なくとも１つの裏側を壁に接着するための接着剤を露出させる剥離媒体を有する、両面接着剤を適用する工程を更に含む、請求項１４〜１６のいずれか一項に記載の方法。
【請求項１８】
前記第１部分及び前記第３部分に装着して単一の取り付け装置を形成するための、１つ以上の追加部分を、前記取り付け器具から吊り下げられる物体の重量に基づいて選択する工程を更に含む、請求項１５〜１７のいずれか一項に記載の方法。
【請求項１９】
相互連結する工程が、前記第１部分を前記第２部分に固定するために、前記第１部分の歯、テクスチャ、及び、ピンを受け入れるための開口のうちの１つを、対応する、前記第２部分の第１の前記側部に沿った歯、テクスチャ、及び、前記ピンを受け入れるための開口のうちの１つと位置合わせする工程を更に含む、請求項１４〜１８のいずれか一項に記載の方法。
【請求項２０】
前記部分を、前記第２部分の頂部が前記単一の取り付け装置の頂点となる状態で、前記基部の頂部に沿ってアーチ構成に配置する工程を更に含む、請求項１４〜１９のいずれか一項に記載の方法。
【発明の詳細な説明】
【背景技術】
【０００１】
壁から額縁を吊り下げるための様々な解決策が存在する。消費者が対処する、より困難な解決策のうちの１つは、その絵画用ブラケット又はフックに関連付けられているネジを消費者が直接挿入することが可能な、壁の背後の間柱を見つけ出すことである。このことは、消費者が、その間柱の位置を正確に特定することが可能であることと、ネジの位置が、間柱を断裂させる恐れがあるような、間柱の遠端上にはないという、ある程度の保証を有することと、乾式壁を貫通して間柱内にドリルで穴をあけ、消費者が額縁を吊るすことを望んでいた壁上の位置を、さほど理想的ではないが、位置特定された間柱を含む位置に変更することとを必要とする。
【０００２】
別の解決策は、乾式壁内にドリルで穴をあけ、その絵画用ブラケット又はフックに関するネジが挿入された場合に、乾式壁の背後で拡張する、プラスチック製ネジ拡張具を挿入することを伴う。このことは、消費者が、どの場所にドリルで穴をあけるべきかを正確に測定し、容易に折れ曲がって損傷する場合が多いプラスチック製拡張具を、その予めドリル加工された乾式壁内に挿入する際に、適切に取り扱うことを必要とする。
【０００３】
最近では、絵画用ブラケット又はフックを吊るすための解決策は、よりユーザが利用しやすく、乾式壁に対して低侵襲性のものとなってきている。例えば、３Ｍ  Ｃｏｍｐａｎｙによって販売されているＣｏｍｍａｎｄ（商標）に基づく製品提供を考察する。この延伸剥離可能接着剤製品のＣｏｍｍａｎｄ（商標）品目は、消費者が、壁上の任意の所望の場所に両面接着ストリップを接着して、必要に応じて、そのストリップにフックを追加すること、及びストリップからフックを取り外すことを可能にする。消費者は、それらのストリップを容易に取り扱うことができる。しかしながら、ストリップに接着されたフックには、しばしば消費者が注意を払うことを怠る、重量制限がある。結果として、一部の消費者は、フックに過剰な負荷をかけ、その結果、フックが機能を失い、それらの絵画が床に落下していることを、その後に発見することになる。
【０００４】
それゆえ、より大きい重量の物体をフックから吊り下げ、フックの機能喪失を最小限に抑えるための、消費者が利用しやすい解決策が必要とされている。
【発明の概要】
【０００５】
様々な実施形態では、取り付け器具を相互連結するための装置及び方法が提供される。
【０００６】
一実施形態によれば、相互連結式取り付け装置が提供される。この相互連結式取り付け装置は、第１部分と、取り付け器具を有する第２部分とを含む。第１部分は、第２部分と相互連結して単一の取り付け装置を形成するように適合されている。
【図面の簡単な説明】
【０００７】
【図１】例示的実施形態による、切り離されている相互連結式取り付け装置の図である。
【０００８】
【図２】例示的実施形態による、３つの部分を有する相互連結式取り付け装置の図である。
【０００９】
【図３】例示的実施形態による、正方形の歯によって相互連結されている７つの部分を有する、相互連結式取り付け装置の図である。
【００１０】
【図４】例示的実施形態による、波形の歯によって相互連結されている７つの部分を有する、別の相互連結式取り付け装置の図である。
【００１１】
【図５】例示的実施形態による、ピンによって相互連結される３つの部分を有する、相互連結式取り付け装置の図である。
【００１２】
【図６】例示的実施形態による、図５の相互連結式取り付け装置の透視図である。
【００１３】
【図７】例示的実施形態による、３つの部分を有する、切り離されている取り付け装置の図である。
【００１４】
【図８】例示的実施形態による、両面接着ストリップを有する、歯によって相互連結されている３部分相互連結式取り付け装置の裏側の図である。
【００１５】
【図９】例示的実施形態による、相互連結式取り付け装置の単一部分の裏側の図である。
【００１６】
【図１０】例示的実施形態による、両面接着ストリップを有する、ピンによって相互連結される３部分相互連結式取り付け装置の裏側の図である。
【００１７】
【図１１】例示的実施形態による、２０ポンドの重量を保持している５部分相互連結式取り付け装置の図である。
【００１８】
【図１２】例示的実施形態による、２０ポンドの重量を保持している３部分相互連結式取り付け装置の図である。
【００１９】
【図１３Ａ】例示的実施形態による、鉛直方向に積み重ねられている相互連結式取り付け装置の図である。
【００２０】
【図１３Ｂ】別の例示的実施形態による、鉛直方向に積み重ねられている相互連結式取り付け装置の図である。
【００２１】
【図１４】例示的実施形態による、相互連結式取り付け装置の操作方法の図である。
【００２２】
【図１５】例示的実施形態による、相互連結式取り付け装置の製造方法の図である。
【発明を実施するための形態】
【００２３】
図１は、例示的実施形態による、切り離されている相互連結式取り付け装置１００の図である。
【００２４】
本明細書で使用するとき、用語「部分」は、「ユニット」と同義的かつ互換的に使用することができる。
【００２５】
切り離されている相互連結式取り付け装置１００は、第１部分１１０及び第２部分１２０を含む。第１部分１１０は、凹部（間隙）１１２によって互いに隔てられている複数の突出構造部１１１を含む。突出構造部１１１は、第１部分１１０の２つの側部に沿って整列している。それに対応して、第２部分１２０は、凹部（間隙）１２２によって互いに隔てられている複数の突出構造部１２１を含む。この場合もまた、突出構造部１２１は、第２部分１２０の２つの側部に沿って整列している。
【００２６】
図１に示される、切り離されている相互連結式取り付け装置１００では、第１部分１１０は取り付け器具１１３を含み、第２部分１２０は取り付け器具１２３を含む。しかしながら、図１、及び本明細書で論じられる他の図に関しては、相互連結式取り付け装置は、多くの相互連結部分のうち、取り付け装置を含む部分を１つのみ有し得ることに留意されたい。
【００２７】
部分１１０及び部分１２０のそれぞれは、金属、プラスチック、又は金属とプラスチックとの組み合わせで作製することができる。
【００２８】
図２は、例示的実施形態による、３つの部分を有する相互連結式取り付け装置２００の図である。
【００２９】
相互連結式取り付け装置２００は、互いに相互連結されることにより単一の相互連結式取り付け装置２００を形成する、３つの部分２１０、部分２２０、及び部分２３０を示している。
【００３０】
第１部分２１０は、複数の突出部材２１１を含み、それら突出部材２１１の対の間に、凹部（空間又は間隙）２１２を有する。同様に、第２部分２２０は、第１部分２１０の第１の側部の凹部（空間又は間隙）２１２と相互連結（スナップ嵌め及び／又は結合）する（２５０）、第２部分２２０の第１の側部上の複数の突出部材を含む。第２部分２２０の第２の側部は、第３部分２３０の第１の側部の凹部（空間又は間隙）２３２と相互連結２６０（スナップ嵌め及び／又は結合）する、第２部分２２０の第２の側部上の複数の突出部材を含む。第３部分２３０の第２の側部に沿って、複数の突出部材２３１が存在し、それら突出部材２３１の対の間に、凹部（空間又は間隙）２３２が存在している。
【００３１】
相互連結式取り付け装置２００は、図示のように、第１部分２１０、第２部分２２０、及び第３部分２３０に関して、それぞれ、取り付け器具２１３、取り付け器具２２３、及び取り付け器具２３３を含む。この場合もまた、部分（２１０、２２０、又は２３０）のうちの１つのみが、取り付け器具（２１３、２２３、又は２３３）を有する必要があることに留意されたい。
【００３２】
一実施形態では、第２部分２２０のみが取り付け器具２２３を含み、第１部分２１０及び第３部分２３０は、取り付け装置を含まない。
【００３３】
第１部分２１０は、第２部分２２０と結合又は相互連結し２５０、同様に、第１部分２１０は、第３部分２３０と結合又は相互連結する２６０。
【００３４】
図２に示される相互連結式取り付け装置２００は、対応する間隙若しくは空間２１２及び２３２を有する突出部材２１１並びに突出部材２３１として、正方形の形状の歯を利用する結合機構を示している（第１部分２１０と第３部分２３０との間の、図２に示される第２部分２２０もまた、図２では具体的に別個にラベル付けされていないが、対応する間隙又は空間を有する、それ自体の突出部材を含むことに留意されたい）。
【００３５】
部分２１０、部分２２０、及び部分２３０は、選択された部分の一方の側部に沿った正方形の形状の歯を、別の選択された部分の側部に沿った対応する間隙又は受け部と位置合わせして、それら２つの部分を一体にスナップ嵌めすることによって、結合又は相互連結する２５０及び２６０ことができる。
【００３６】
一実施形態では、第１部分２１０の第１の側部が、第２部分２２０の第１の側部にスナップ嵌めされる際、第１部分２１０は、第１部分２１０の頂部が第２部分２２０の頂部よりも低くなるように、若干オフセットされる。同様に、第２部分２２０の第２の側部が、第３部分２２０の第１の側部にスナップ嵌めされる際、第３部分２３０は、第３部分２３０の頂部が第２部分２２０の頂部よりも低くなるように、若干オフセットされる。このことにより、相互連結式取り付け装置２００は、第２部分２２０の頂部が相互連結式取り付け装置２００の頂点となる状態で、アーチ形又はアーチ形状２４０に形成される。アーチ形状２４０は、取り付け器具２２３から垂下する鉛直力を、部分２１０、部分２２０、及び部分２３０のそれぞれに分散させる助けとなる。
【００３７】
第２部分２２０の取り付け器具２２３は、相互連結式取り付け装置２００が、壁、キャビネット、又は他の鉛直面に固定されている場合に、その相互連結式取り付け装置２００から物体を吊り下げるための機構を提供するものである。
【００３８】
一実施形態では、取り付け器具２１３、取り付け器具２２３、取り付け器具２３３は、（図２に示されるように）相互連結式取り付け装置２００の底部に沿った、切頭三角形として成形されている。
【００３９】
一実施形態では、取り付け器具２１３、取り付け器具２２３、取り付け器具２３３は、それぞれ、又は別個に、フック、ループ、クリップ、及び鋸歯のうちの１つである。
【００４０】
一実施形態では、取り付け器具２１３、取り付け器具２２３、及び取り付け器具２３３は、それぞれ、第１部分２１０、第２部分２２０、及び第３部分２３０とは別個の構成要素として製造されている。この実施形態では、取り付け器具２１３、取り付け器具２２３、及び取り付け器具２３３は、第１部分２１０、第２部分２２０、及び第３部分２３０の、予め製造されている装着用の溝の中にスライドさせることができる。
【００４１】
一実施形態では、取り付け器具２１３、取り付け器具２２３、及び取り付け器具２３３は、それぞれ、第１部分２１０、第２部分２２０、及び第３部分２３０と共に、単一の一体構成要素として製造されている。
【００４２】
部分２１０、部分２２０、及び部分２３０が互いに相互連結されると、結果として得られる相互連結式取り付け装置２００は、一体に相互連結された部分２１０、部分２２０、及び／又は部分２３０のうちの２つの任意の組み合わせで可能となる場合よりも大きい重量を、取り付け器具２２３から鉛直方向で吊り下げることを支援することができる。更には、一体に相互連結された部分２１０、部分２２０、及び／又は部分２３０のうちの２つの任意の組み合わせは、任意の単一の部分２１０、部分２２０、又は部分２３０よりも大きい重量を、取り付け器具（２１３、２２３、及び／又は２３３）から鉛直方向で吊り下げることを支援することができる。
【００４３】
一実施形態では、追加部分が相互連結式取り付け装置２００に追加されるごとに、その新たに形成された相互連結式取り付け装置２００の耐荷重量は、新たな部分の追加の前に相互連結式取り付け装置２００が元来支持していたものに比べて、１．７５倍に増大する。
【００４４】
一実施形態では、部分２１０、部分２２０、及び部分２３０は、２つの部分のみを有する相互連結式取り付け装置を形成するように、又は、この相互連結式取り付け装置を（切り離されている部分１１０及び部分１２０を有する、図１に示されるように）その３つの部分２１０、部分２２０、及び部分２３０へと完全に分解するように、互いに切り離し可能である。
【００４５】
図３は、例示的実施形態による、正方形の歯によって相互連結されている７つの部分を有する、相互連結式取り付け装置３００の図である。
【００４６】
相互連結式取り付け装置３００は、一体に相互連結されることにより相互連結式取り付け装置３００を形成する、７つの部分３１０、部分３２０、部分３３０、部分３４０、部分３５０、部分３６０、及び部分３７０を含む。この場合もまた、各部分は、その部分の側部に沿った、それ自体の突出部材を含み、それら突出部材の対の間に、対応する間隙又は凹部を有する。突出部材３１１及び突出部材３７１は、それぞれ、第１部分３１０及び第７部分３７０の非接続側部に沿って、それらの対応する間隙若しくは凹部３１２及び３７２と共に示されている。
【００４７】
少なくとも１つの取り付け器具が、少なくとも中央部分（第４部分）３４０上に含まれている（図３には示さず）。
【００４８】
各部分は、互いに相互連結するために、少なくとも１つの他の部分に接続している（例えば、第１部分は第２部分に相互連結されている３１５）。それらの相互連結された部分は、アーチ形状３９０を形成し、その頂点は中央（第４）部分３４０の頂部である。アーチ形状３９０は、取り付け器具３４０から垂下する鉛直力を、それらの部分のそれぞれに分散させる助けとなる。
【００４９】
中央部分３４０はまた、その中央（第４）部分３４０の裏側に固定され、中央（第４）部分３４０の底部よりも下方に延びる、接着ストリップ３８０も示している。接着ストリップ３８０は、互いに反対向きの表面の一方又は双方に感圧性接着剤機能を有する、任意の好適なシート、フィルム、層など（すなわち、両面接着ストリップ）を含み得る。接着ストリップ３８０は、中央部分３４０に結合するための、第１の主要接着面を露出させることができるように、及び、取り付け装置３００が取り付けられる壁に結合するための、第２の主要接着面を露出させることができるように、構成することができる。
【００５０】
接着ストリップ３８０は、取り付け装置の対応する部分に予め結合された状態で、ユーザに供給することができ、又は、接着ストリップ３８０は、ユーザによって結合されるように、別個に供給することもできる。接着ストリップ３４５は、取り付け装置３００の必要数の相互連結部分に接触させて結合するために好適な、接着剤３８０の個別片を得ることが可能な、シート、テープ、ロールなどの形態で入手可能な、任意の好適な接着剤を含み得る。それゆえ、好適な接着剤としては、当該技術分野において周知であるような、両面テープ、貼り合わせ用接着剤、両面フォームテープなどが挙げられる。
【００５１】
特定の実施形態では、接着ストリップ３８０は、それぞれ延伸剥離接着剤を備える。そのような延伸剥離特性により、接着剤３８０を、表面に確実に取り付けることが可能となり、その後、表面の視覚的美観を損ねることも、又は表面上に接着剤残留物を残すこともなく、表面から取り外すことが可能となる。
【００５２】
好適な延伸剥離接着剤は、感圧性接着剤がその上に配設（例えば、コーティング）される、弾性の裏材、又は、非常に伸張性が高く実質的に非弾性の裏材を含み得る。又は、延伸剥離接着剤は、中実の弾性感圧性接着剤で形成することもできる。それゆえ、この文脈では、用語「延伸剥離接着剤」は、（別個の接着剤の層が上に存在している裏材を備える製品に加えて）単一の、一体型の、又は中実の接着剤構造を備える製品を包含する。好適な例示的延伸剥離接着剤は、米国特許第４，０２４，３１２号（Ｋｏｒｐｍａｎ）、独国特許第３３  ３１  ０１６号、米国特許第５，５１６，５８１号（Ｋｒｅｃｋｅｌら）、及びＰＣＴ国際公開第ＷＯ９５／０６６９１号（Ｂｒｉｅｓら）で説明されており、それぞれの教示が、参照により本明細書に組み込まれる。そのような延伸剥離接着剤は、例えば、厚さ約０．２ｍｍ〜厚さ約２ｍｍの範囲とすることができる。
【００５３】
接着ストリップ３８０が、延伸剥離接着剤である場合には、その接着ストリップは、プルタブ部分（例えば、接着剤を含まない、接着片３８０の端部）を備え得るものであり、取り付け装置３００を壁から取り外すことが所望される場合に、このプルタブ部分がユーザによって把持されて引っ張られることにより、その接着剤の延伸剥離特性を活性化することができる。例示的な接着ストリップとしては、例えば、３Ｍ  Ｃｏｍｐａｎｙ（Ｓｔ．Ｐａｕｌ，ＭＮ）によって販売されている、例えば３Ｍ製のＣＯＭＭＡＮＤ（商標）絵画吊り下げストリップ（picture hanging strip）を含めた、ＣＯＭＭＡＮＤ（商標）ブランドの製品のうちのいずれかが挙げられる。特定の実施形態では、接着ストリップは、取り付け装置の１つ以上の区画、並びに壁に接着される。接着ストリップの適用、使用、及び形成の方法、並びに、この一般的なタイプのこれらの接着ストリップの組成が、例えば、米国特許第５，６７２，４０２号、同第６，４０３，２０６号、同第７，７８１，０５６号、同第６，００１，４７１号、同第６，５６９，５２１号、及び同第７，０７８，０９３号で説明されており、それらの全てが、全体として本明細書に組み込まれる。
【００５４】
図３の相互連結式取り付け装置３００は、図２の相互連結式取り付け装置２００を、４つの追加部分によって、合計で７つの部分へと拡張することができる点を示している。この場合もまた、各追加部分により、結果として得られる相互連結式取り付け装置は、一体に相互連結されている部分がより少ない相互連結式取り付け装置よりも、１つ以上の取り付け器具から垂下する大きい重量を支持することが可能となる。
【００５５】
図４は、例示的実施形態による、波形の歯によって相互連結されている７つの部分を有する、別の相互連結式取り付け装置４００の図である。
【００５６】
相互連結式取り付け装置４００は、７つの部分４１０、部分４２０、部分４３０、部分４４０、部分４５０、部分４６０、及び部分４７０を含む。各部分は、波形の歯を使用して一体に相互連結されている（例えば、第１部分４１０は、第２部分に相互連結されている４１５）。
【００５７】
相互連結式取り付け装置４００は、波形の歯を示している（第１部分の突出部材４１１、及び第７部分４７２の突出部材４７１として、それらの対応する凹部若しくは間隙４１２及び４７２と共に、第１部分４１０及び第７部分４７０の非相互連結側部のみがラベル付けされて示されている）。
【００５８】
相互連結式取り付け装置４００はまた、中央（第４）部分４４０の下方に延びて、その下に露出している（上述のような）接着ストリップ４８０を、中央（第４）部分４４０の裏側上に含む。
【００５９】
相互連結式取り付け装置４００は、組み立てられた場合に、アーチ形状４９０を形成する。アーチ形状４９０は、取り付け器具４４０から垂下する重量による鉛直力を、それらの部分のそれぞれに分散させる助けとなる。
【００６０】
図５は、例示的実施形態による、ピンによって相互連結される３つの部分を有する、相互連結式取り付け装置５００の図である。
【００６１】
図２〜図４は、歯を介して互いに相互連結されている取り付け装置に関する、所望の数の部分を相互連結するための実施形態を示すものである。図５〜図７は、１つ以上のピンを介して相互連結される取り付け装置に関する、所望の数の部分の相互連結を示すものである。
【００６２】
相互連結式取り付け装置５００は、第１部分５１０、第２部分５２０、及び第３部分５３０を含む。各部分５１０、部分５２０、及び部分５３０は、１つ以上の開口（穴）（例えば、図５でラベル付けされている、第２部分の開口５０３及び開口５０４）を含む。これらの開口は、部分５１０、部分５２０、及び部分５３０を互いに結合／相互連結して、相互連結式取り付け装置５００を形成するために、１つ以上のピン５０１及び／又はピン５０２が、部分５１０、部分５２０、及び部分５３０の本体を貫通することを可能にするように適合されている。
【００６３】
各部分５１０、部分５２０、及び部分５３０は、それぞれ、取り付け器具５１５、取り付け器具５２５、及び取り付け器具５３５を含む。しかしながら、この場合もまた、一部の実施形態では、１つの部分、又は全てよりも少ない部分のみが、取り付け器具を含むことに留意されたい。
【００６４】
一実施形態では、取り付け器具５１５、取り付け器具５２５、及び取り付け器具５３５は、それぞれ、部分５１０、部分５２０、及び部分５３０のそれぞれの頂部に沿って（及び、図５に示されるように）配置されている。
【００６５】
一実施形態では、取り付け器具５１５、取り付け器具５２５、及び取り付け器具５３５は、それぞれ、部分５１０、部分５２０、及び部分５３０のそれぞれの中間部に沿って配置されている（図５には示さず）。
【００６６】
一実施形態では、取り付け器具５１５、取り付け器具５２５、及び取り付け器具５３５は、それぞれ、部分５１０、部分５２０、及び部分５３０のそれぞれの底部に沿って配置されている（図５には示さず）。
【００６７】
一実施形態では、相互連結式取り付け装置５００は、２つのピン５０１及びピン５０２を含み、それらのピンは、部分５１０、部分５２０、及び部分５３０のそれぞれの頂部に沿って位置合わせされている開口を貫通して（第２部分５２０の開口５０３などを貫通して）ピン５０１でそれらの部分を相互連結し、部分５１０、部分５２０、及び部分５３０のそれぞれの底部に沿って位置合わせされている開口を貫通して（第２部分５２０の開口５０４などを貫通して）、それらの部分を相互連結する。
【００６８】
一実施形態では、相互連結式取り付け装置５００は、単一のピン５０１又はピン５０２を含み、その単一のピンが、部分５１０、部分５２０、及び部分５３０のそれぞれの頂部、底部、若しくは中間部に沿って位置合わせされている開口を貫通して、それらの部分を相互連結する（図５には示さず）。
【００６９】
図６は、例示的実施形態による（及び、図６では相互連結式取り付け装置６００として示されている）、図５の相互連結式取り付け装置の透視図である。
【００７０】
この透視図は、部分６１０、部分６２０、及び部分６３０の本体を貫通してピン６０１及びピン６０２が挿入される、開口（部分６１０の開口６０４、及び部分６２０の開口６０５など）を示している。この透視図では、取り付け器具６１５、取り付け器具６２５、及び取り付け器具６３５は、相互連結式取り付け装置６００の裏側で視認される。
【００７１】
図７は、例示的実施形態による、３つの部分を有する、切り離されている取り付け装置７００の図である。
【００７２】
これらの切り離されている（相互連結されていない）取り付け装置７００は、第１部分７１０、第２部分７２０、及び第３部分７３０を含む。
【００７３】
一実施形態では、部分の数は、２〜Ｎで構成可能であり、この場合Ｎは３よりも大きく、部分の数は、切り離されている取り付け装置７００が組み立てられて相互連結された形態での、取り付け器具のうちの１つから垂下されることになる、重量負荷に基づいて選択される。
【００７４】
第１部分７１０は、第１の側部に沿った穴７１２、及び反対側の側部に沿ったピン７１３を含む。第１部分７１０の前面７１１は、取り付け器具７１５を含む。第１部分の裏面は、ピン７１３を含み、任意選択的に、（上述のような）接着ストリップ７１６を含む。穴７１２は、（図７に示されるように）取り付け器具７１５の基底となる前面７１１の部分に対して陥没している、前面７１１の延長部分上で、外に延びている。
【００７５】
同様に、第２部分７２０は前面７２１を含み、この前面７２１は、陥没して穴７２２を含む、前面７２１の延長部分を含む。第２部分７２０の裏面は、ピン７２３を含む（図７では、１つのみのピンが示されている）。任意選択的に、第２部分７２０もまた、取り付け器具７２５を含む。
【００７６】
同様に、第３部分７３０は前面７３１を含み、この前面７３１は、陥没して穴７３２を含む、前面７３１の延長部分を含む。第３部分７３０の裏面は、ピンを含む（図７には示さず）。任意選択的に、第３部分７３０もまた、取り付け器具７３５を含む。
【００７７】
切り離されている取り付け装置７００は、前面上の延長部分の穴を、異なる部分の裏面上のピンと位置合わせして、それらの穴にピンを挿入すること（一実施例として、穴の中にピンをスナップ嵌めすることなど）によって、相互連結される。このことは、切り離されている取り付け装置７００の相互連結形態として、２つ、３つ、又はそれよりも多くの部分を一体に相互連結するように、追加部分を追加するために継続することができる。
【００７８】
図８は、例示的実施形態による、（上述のような）両面接着ストリップを有する、歯によって相互連結されている３部分相互連結式取り付け装置８００の裏側の図である。
【００７９】
相互連結式取り付け装置８００は、一体に相互連結されることにより相互連結式取り付け装置８００を形成する、部分８１０、部分８２０、及び部分８３０を含む。第１部分８１０の裏側８１１は、接着ストリップ８１２が装着されていない図を示している。剥ぎ取り式剥離媒体が剥ぎ取られると、接着ストリップ８１２の裏面上の接着剤が露出し、次いで、その接着ストリップを、第１部分の裏面８１１に接着することができる。
【００８０】
第２部分８２０は、第２部分８２０の裏面に、接着ストリップ８２２が装着されている（接着されている）図を含む。同様に、第３部分８３０は、第３部分８３０の裏面に、接着ストリップ８３２が装着されている（接着されている）図を含む。
【００８１】
接着ストリップ８１２、接着ストリップ８２２、及び接着ストリップ８３２の前面もまた、剥ぎ取られると、その接着ストリップの前面を鉛直構造体（壁、キャビネット、ロッカーなど）に接着するための、前面上の接着剤を露出させる剥ぎ取り式剥離媒体を含む。
【００８２】
一実施形態では、第１部分８１０の裏側表面８１１は、その裏側表面８１１に予め接着されている接着ストリップの裏面を含むように、予め製造されている。
【００８３】
一実施形態では、接着ストリップは、各部分８１０、部分８２０、及び部分８３０と組み立てるための構成要素として含まれている。
【００８４】
一実施形態では、接着ストリップを使用して前述の実施形態を接着することに関する、前述の実施形態のうちのいずれかは、任意の両面接着基材を使用することができ、それらの両面接着基材は、その基材の両面上に剥離媒体を有し、それらの剥離媒体は、剥ぎ取られると、相互連結式取り付け装置の１つ以上の部分の裏面に接着するための接着剤、及び、相互連結式取り付け装置が固定されることになる鉛直構造体に接着するための接着剤を露呈させる。
【００８５】
図９は、例示的実施形態による、相互連結式取り付け装置の単一部分の裏側の図９００である。
【００８６】
図９００は、単一部分に関する、上述の相互連結式取り付け装置のうちのいずれかの一部分の裏側表面が、剥離媒体を有する予め製造された接着剤９１２を含み得ることを示しており、この剥離媒体は、剥ぎ取られると、その部分を鉛直構造体に固定するための接着剤９１２を露呈させる。
【００８７】
図１０は、例示的実施形態による、両面接着ストリップを有する、ピンによって相互連結される３部分相互連結式取り付け装置１０００の裏側の図である。
【００８８】
相互連結式取り付け装置１０００は、第１部分１０１０、第２部分１０２０、及び第３部分１０３０を含む。第１部分１０１０の裏側表面は、その第１部分の裏側表面１０１１に装着することが可能な、装着されていない接着ストリップ１０１２を示している。第２部分１０２０及び第３部分１０３０は、装着された接着ストリップ（例えば、第３部分１０３０の裏側表面に装着された接着ストリップ１０３２）を含む。
【００８９】
相互連結式取り付け装置１０００は、部分１０１０、部分１０２０、及び部分１０３０内の開口を貫通して挿入される、ピン１０５０及びピン１０６０を介して相互連結される。
【００９０】
図１１は、例示的実施形態による、２０ポンドの重量を保持している５部分相互連結式取り付け装置１１１０の図１１００である。
【００９１】
壁に固定された従来の取り付け器具は、その従来の取り付け器具から吊り下げられている、約５ポンドの重量を保持することが可能である。
【００９２】
この５部分相互連結式取り付け装置１１１０は、２０ポンドの重量１１２０が、チェーン１１２５によって、（５つの相互連結部分を備える）単一の相互連結式取り付け装置１１１０の単一の取り付け器具１１１１から吊り下げられていることを示している。
【００９３】
相互連結式取り付け装置１１１０の（図２〜図４で上述された）アーチ形状は、相互連結式取り付け装置１１１０の相互連結された部分のそれぞれに、その重量を分散させる助けとなっていることに留意されたい。
【００９４】
図１２は、例示的実施形態による、２０ポンドの重量１２２０を保持している３部分相互連結式取り付け装置１２１０の図１２００である。
【００９５】
この３部分相互連結式取り付け装置１１１０は、２０ポンドの重量１２２０が、チェーン１２２５によって、（３つの相互連結部分を備える）単一の相互連結式取り付け装置１２１０の単一の取り付け器具１２１１から吊り下げられていることを示している。
【００９６】
前述のように、本明細書及び上記で論じられた新規の相互連結式取り付け装置のうちのいずれかに、１つの部分を追加するごとに、その取り付け装置の負荷を、１．７５倍に増大させることができる。
【００９７】
図１３Ａ及び図１３Ｂは、それぞれ、例示的実施形態による、鉛直方向に積み重ねられている相互連結式取り付け装置１３００の図である。
【００９８】
図１３Ａに示される第１の実施形態では、鉛直方向に積み重ね可能な相互連結式取り付け装置は、２つの部分１３１０及び部分１３２０を含む。第１部分１３１０は、取り付け器具１３１１と、その第１部分１３１０の第１の端部上の突出相互連結部分１３１２と、その第１部分１３１０の第２の端部上の凹状部分１３１３とを含む。第２部分１３２０は、取り付け器具装着部分１３２１と、突出相互連結部分１３２２と、凹状部分１３２３とを含む。第１部分１３１０及び／又は第２部分１３２０の裏側はまた、この装置（１３１０及び１３２０）が固定／接着されている構造体から、その鉛直方向に積み重ね可能な相互連結式取り付け装置（１３１０及び１３２０）を取り外すための、第２部分１３２０の底部からアクセス可能な接着ストリップ１３２１も含み得る。第２部分１３２０の突出部分１３２２は、第１部分１３１０の凹状部分１３１３内に相互連結されて、単一の鉛直方向装置（１３１０及び１３２０）を形成するよう適合されている。
【００９９】
図１３Ａはまた、第１部分１３１０の取り付け器具１３１１が、第２部分１３２０の上方で鉛直方向に積み重ねられている、鉛直方向に積み重ね可能な相互連結式取り付け装置（１３１０及び１３２０）の側面図も示す。この側面図はまた、第１部分１３１０及び第２部分１３２０の双方の裏側にわたって、接着ストリップが延びていることも示しており、この接着ストリップは、単一の接着ストリップ、又は２つの別個の接着ストリップとすることができる。一実施形態では、接着ストリップ（１つ以上）は、第１部分１３１０の裏側の全てではなく、一部分のみを覆うものである。一実施形態では、接着ストリップ（１つ以上）は、第１部分１３１０及び第２部分１３２０の双方の裏側の全て、又は実質的に全てを覆うものである。一実施形態では、第１部分１３１０は、その第１部分１３１０の裏側の５０％超の上に第１の接着ストリップを含み、その第１の接着ストリップの一部分は、第２部分１３２０の裏側の一部分まで延びており、第２部分１３２０は、その第２部分１３２０の裏側の５０％超の上に第２の接着ストリップを含み、その第２の接着ストリップは、第１の接着ストリップに隣接して始まり、第２部分１３２０の底部を越えて延びており、第１部分１３１０の取り付け器具１３１１を、第２部分１３２０の上方に鉛直方向に積み重ねている。
【０１００】
図１３Ｂに示される別の実施形態では、鉛直方向に積み重ね可能な相互連結式取り付け装置は、２つの部分１３３０及び部分１３４０を含む。第１部分１３１０は、取り付け器具１３３１と、その第１部分１３３０の第１の端部上の突出相互連結部分１３３２と、その第１部分１３３０の第２の端部上の凹状部分１３３３とを含む。第２部分１３４０は、取り付け器具装着部分１３４１と、突出相互連結部分１３４２と、凹状部分１３４３とを含む。第１部分１３３０及び／又は第２部分１３４０の裏側はまた、この装置（１３３０及び１３４０）が固定／接着されている構造体から、その鉛直方向に積み重ね可能な相互連結式取り付け装置（１３３０及び１３４０）を取り外すための、第１部分１３３０の底部からアクセス可能な接着ストリップ１３３４も含み得る。第１部分１３３０の突出部分１３３２は、第２部分１３４０の凹状部分１３４３内に相互連結されて、第２部分１３４０の下方に鉛直方向に積み重ねられた第１部分１３３０の取り付け機構１３３１を有する、単一の鉛直方向装置（１３３０及び１３４０）を形成するよう適合されている。
【０１０１】
図１３Ｂはまた、第１部分１３３０の取り付け装置１３３１が、第２部分１３４０の下方で鉛直方向に積み重ねられている、鉛直方向に積み重ね可能な相互連結式取り付け装置（１３３０及び１３４０）の側面図も示す。この側面図はまた、第１部分１３３０及び第２部分１３４０の双方の裏側にわたって、接着ストリップが延びていることも示しており、この接着ストリップは、単一の接着ストリップ、又は２つの別個の接着ストリップとすることができる。一実施形態では、接着ストリップ（１つ以上）は、第１部分１３４０の裏側の全てではなく、一部分のみを覆うものである。一実施形態では、接着ストリップ（１つ以上）は、第１部分１３３０及び第２部分１３４０の双方の裏側の全て、又は実質的に全てを覆うものである。一実施形態では、第１部分１３４０は、その第２部分１３４０の裏側の５０％超の上に第１の接着ストリップを含み、その第１の接着ストリップの一部分は、第１部分１３３０の裏側の一部分まで延びており、第１部分１３３０は、その第１部分１３３０の裏側の５０％超の上に第２の接着ストリップを含み、その第２の接着ストリップは、第１の接着ストリップに隣接して始まり、第１部分１３３０の底部を越えて延びている。
【０１０２】
一実施形態では（図１３には示さず）、突出部材（１３１２、１３２２、１３３２、及び１３４２）は、部分（１３１０、１３２０、１３３０、及び１３４０）の単一の側部に沿って配置されており、（図１３に示されるように端部部分に沿って鉛直方向にではなく）水平に方向付けされている。突出部材（１３１２、１３２２、１３３２、及び１３４２）の位置は、部分（１３１０、１３２０、１３３０、及び１３４０）の側部の中間部、又は縁部付近とすることができる。同様に、（突出部材（１３１２、１３２２、１３３２、及び１３４２）を有する側部から）反対側の側部は、水平に方向付けされている凹状部分（１３１３、１３２３、１３３３、及び１３４３）を含む。このことにより、相互連結用の（装着及び切り離し用の）突出部材（１３１２、１３２２、１３３２、及び１３４２）と、対応する凹状部分（１３１３、１３２３、１３３３、及び１３４３）との、図１３に示される鉛直方向の方式ではない、水平方向の方式での相互連結が可能となる。
【０１０３】
取り付け装着機構１３２１及び取り付け装着機構１３４１は、鉛直方向に積み重ね可能な第１の取り付け装置（１３１０及び１３２０）の第２部分１３２０に、及び、鉛直方向に積み重ね可能な第２の取り付け装置（１３３０及び１３４０）の第２部分１３４０に、追加の取り付け器具が固定及び／又は接着されることを可能にする。
【０１０４】
図１４は、例示的実施形態による、相互連結式取り付け装置の操作方法１４００の図である。
【０１０５】
１４１０で、第１部分（又は、ユニット）が、第２部分（又は、ユニット）の第１の側部に接合される。
【０１０６】
一実施形態では、１４１１で、第１部分は、第２部分に第１部分を固定及び結合するために、第２部分の第１の側部に沿ったピンを受け入れるための開口、歯、若しくはテクスチャを位置合わせすることによって、第２部分に接合される。
【０１０７】
１４２０で、第３部分が、第２部分の第２の側部に装着されることにより、単一の取り付け装置が形成され、第１部分、第２部分、及び第３部分のうちの少なくとも１つが、取り付け器具を含む。
【０１０８】
１４２０及び１４１１の実施形態では、１４１２で、第３部分は、第２部分に第３部分を固定及び結合するために、第３部分の歯、テクスチャ、及び、ピンを受け入れるための開口を、対応する、第２部分の第２の側部に沿った歯、テクスチャ、及び、ピンを受け入れるための開口のうちの１つと位置合わせすることによって、第２部分に接合される。
【０１０９】
先行の実施形態のいずれかでは、１４２１で、これらの装着された部分は、第２部分の頂部が、その単一の取り付け装置の頂点となる状態で、それらの部分の頂部に沿ってアーチ形状に配置される。
【０１１０】
先行の実施形態のいずれかでは、１４２２で、少なくとも１つの接着ストリップが、それらの部分の少なくとも１つの裏側に装着される。
【０１１１】
先行の実施形態のうちのいずれかでは、１４２３で、その単一の取り付け器具を壁に固定するための接着剤を露出させるために、それらの部分の裏側上の接着ストリップから、剥離媒体が取り外される。
【０１１２】
一実施形態では、１４３０で、第２部分は取り付け器具を含む。
【０１１３】
一実施形態では、１４４０で、第１部分及び第３部分に装着して単一の取り付け装置を形成するための、１つ以上の追加部分が、その取り付け器具から吊り下げられる物体の重量に基づいて選択される。
【０１１４】
図１５は、例示的実施形態による、相互連結式取り付け装置の製造方法１５０００の図である。
【０１１５】
１５１０で、第１部分が形成され、取り付け器具を有する第２部分が形成される。
【０１１６】
１５２０で、組み立てられた場合に単一の取り付け装置を形成する、互いに相互連結するための、それら部分のそれぞれの側部が製造される。
【０１１７】
一実施形態では、１５２１で、第３部分が形成され、組み立てられた場合に単一の取り付け装置を形成する、第１部分及び第２部分の少なくとも一方の側部と相互連結するための、その第３部分の側部が製造される。
【０１１８】
一実施形態では、１５２２で、製造された側部は、互いに相互連結するための、それら部分のそれぞれの側部上の相互連結歯、結合テクスチャ、及び、１つ以上のピンを受け入れるための開口のうちの１つを形成することを含む。
【０１１９】
先行の実施形態のいずれかでは、１５２３で、接着ストリップが、少なくとも１つの部分の少なくとも１つの裏側に適用される。この接着ストリップは、取り外された場合に、少なくとも１つの部分の少なくとも１つの裏側を壁に接着するための接着剤を露出させる、剥離媒体を有する。
【０１２０】
実施形態
【０１２１】
１．第１部分と、取り付け器具を含む第２部分とを備える装置であって、第１部分が、第２部分と相互連結して単一の取り付け装置を形成するように適合されている、装置。
【０１２２】
２．第１部分及び第２部分が、第１部分と第２部分とを相互連結するための歯を備える、実施形態１の装置。
【０１２３】
３．歯が正方形の形状である、実施形態２の装置。
【０１２４】
４．歯が波形に構成されている、実施形態２の装置。
【０１２５】
５．第１部分及び第２部分が、第１部分と第２部分とを相互連結するピンを受け入れるための開口を含む、実施形態１の装置。
【０１２６】
６．  第１部分及び第２部分が、第１部分と第２部分とを結合するように適合されているテクスチャを含む、実施形態１の装置。
【０１２７】
７．  第１部分及び第２部分の非相互連結側部が、単一の取り付け装置の一部として、１つ以上の追加部分を第１部分及び第２部分に隣接して追加するための、追加的な歯、追加的な開口、又は追加的なテクスチャを備える、先行の実施形態１〜６のうちのいずれかの装置。
【０１２８】
８．  取り付け器具がフックであり、第２部分の底部に沿って配置された切頭三角形として成形されている、先行の実施形態１〜７のうちのいずれかの装置。
【０１２９】
９．  取り付け器具が、フック、クリップ、ループ、及び鋸歯のうちの１つである、先行の実施形態１〜７のうちのいずれかの装置。
【０１３０】
１０．第１部分が、第２部分と相互連結された場合にアーチ形状を形成する、実施形態１の装置。
【０１３１】
１１．  各部分の裏側が、取り外し可能な両面接着ストリップを含む、先行の実施形態１〜１０のうちのいずれかの装置。
【０１３２】
１２．  各部分の裏側が、接着ストリップを含む、先行の実施形態１〜１０のうちのいずれかの実施形態の装置。
【０１３３】
１３．  取り付け器具が、諸部分の裏側が壁に接着されている間、単一の取り付け装置から鉛直方向に吊り下げられている物体を保持するように適合されており、単一の取り付け装置が、取り付け器具から鉛直方向に吊り下げられている物体からの鉛直力を、それらの部分に分散させるように適合されている、実施形態１の装置。
【０１３４】
１４．  第１部分と、第２部分と、第３部分とを備える装置であって、それら第１部分、第２部分、及び第３部分のうちの少なくとも１つが、取り付け器具を含み、それらの部分が、一体に相互連結されて単一の取り付け装置を形成するように適合されている、装置。
【０１３５】
１５．  第１部分、第２部分、及び第３部分のうちの１つと相互連結して単一の取り付け装置を形成するように適合されている、第４部分を更に備える、実施形態１４の装置。
【０１３６】
１６．  第１部分、第２部分、及び第３部分が、それらの部分を一体に相互連結して単一の取り付け装置を形成するための、歯、テクスチャ、及び、ピンを受け入れるための開口のうちの１つを含む、実施形態１４の装置。
【０１３７】
１７．  第１部分、第２部分、及び第３部分が開口を含む場合に、それらの開口が、それらの部分の頂部、中間部、及び底部のうちの少なくとも１つに沿って配置され、互いに位置合わせされている、実施形態１６の装置。
【０１３８】
１８．  第１部分、第２部分、及び第３部分が、頂部、中間部、及び底部のうちの別の少なくとも１つに沿って、第２の開口を含む、実施形態１７の装置。
【０１３９】
１９．  各部分の裏側が、取り外し可能な両面接着ストリップを含む、実施形態１４〜１８のうちのいずれかの装置。
【０１４０】
２０．  各部分の裏側が、絵画吊り下げストリップを含む、実施形態１４〜１８のうちのいずれかの装置。
【０１４１】
２１．  諸部分が、単一の取り付け装置上の取り付け器具から垂下する耐荷力を分散させるための、単一のユニットとして機能するように適合されている、実施形態９の装置。
【０１４２】
２２．  第１部分を第２部分の第１の側部に接合することと、第３部分を第２部分の第２の側部に装着することにより、単一の取り付け装置を形成することとを含み、第１部分、第２部分、及び第３部分のうちの少なくとも１つが、取り付け器具を含む、取り付け装置の形成方法。
【０１４３】
２３．  第２部分が取り付け器具を含む、実施形態２２の方法。
【０１４４】
２４．  接合することが、第１部分を第２部分に固定するために、第１部分の歯、テクスチャ、及び、ピンを受け入れるための開口のうちの１つを、対応する、第２部分の第１の側部に沿った歯、テクスチャ、及び、ピンを受け入れるための開口のうちの１つと位置合わせすることを更に含む、実施形態２２の方法。
【０１４５】
２５．  装着することが、第１部分を第２部分に固定するために、第３部分の歯、テクスチャ、及び、ピンを受け入れるための開口のうちの１つを、対応する、第２部分の第２の側部に沿った歯、テクスチャ、及び、ピンを受け入れるための開口のうちの１つと位置合わせすることを更に含む、実施形態２４の方法。
【０１４６】
２６．  装着された部分を、第２部分の頂部が単一の取り付け装置の頂点となる状態で、それらの基部の頂部に沿ってアーチ形状に配置することを更に含む、先行の実施形態２２〜２５のうちのいずれかの方法。
【０１４７】
２７．  少なくとも１つの絵画吊り下げストリップを、諸部分の少なくとも１つの裏側に装着することを更に含む、先行の実施形態２２〜２６のうちのいずれかの方法。
【０１４８】
２８．  単一の取り付け器具を壁に固定するための接着剤を露出させるために、諸部分の裏側上の接着ストリップから、剥離媒体を取り外すことを更に含む、先行の実施形態２２〜２６のうちのいずれかの方法。
【０１４９】
２９．  第１部分及び第３部分に装着して単一の取り付け装置を形成するための、１つ以上の追加部分を、取り付け器具から吊り下げられる物体の重量に基づいて選択することを更に含む、実施形態２２の方法。
【０１５０】
３０．  取り付け器具を有する第１部分と、第２部分とを形成することと、組み立てられた場合に単一の取り付け装置を形成する、互いに相互連結するための、それら部分のそれぞれの側部を製造することとを含む方法。
【０１５１】
３１．  形成することが、第３部分を形成することを含み、製造することが、組み立てられた場合に単一の取り付け装置を形成する、第１部分及び第２部分の少なくとも一方の側部と相互連結するための、その第３部分の側部を製造することを更に含む、実施形態３０の方法。
【０１５２】
３２．  製造することが、互いに相互連結するための、諸部分のそれぞれの側部上の相互連結歯、結合テクスチャ、及び、１つ以上のピンを受け入れるための開口のうちの１つを形成することを更に含む、実施形態３０の方法。
【０１５３】
３３．  製造することが、少なくとも１つの部分の少なくとも１つの裏側に、取り外された場合に、その少なくとも１つの部分の少なくとも１つの裏側を壁に接着するための接着剤を露出させる剥離媒体を有する、絵画吊り下げストリップを適用することを更に含む、先行の実施形態３０〜３２のうちのいずれかの方法。
【０１５４】
３４．  第１ユニットと、第２ユニットと、第３ユニットと、それら第１ユニット、第２ユニット、及び第３ユニットを相互連結する１つ以上の接続機構と、第１ユニット、第２ユニット、及び第３ユニットのうちの少なくとも１つの上の取り付け器具とを備える、取り付け装置であって、相互連結された第１ユニット、第２ユニット、及び第３ユニットが、取り付け器具に吊り下げられる物体の重量を、それら第１ユニット、第２ユニット、及び第３ユニットに分散させるように適合されている、取り付け装置。
【０１５５】
３５．  第１ユニット、第２ユニット、及び第３ユニットのうちの１つの中に組み込まれている取り付け器具が、それらユニットのうちの単一のユニットのみの場合よりも大きい重量を保持することができる、実施形態３４の装置。
【０１５６】
３６．  第１ユニット、第２ユニット、及び第３ユニットと相互連結されている、第４ユニットを更に備え、第１ユニット、第２ユニット、及び第３ユニットのうちの１つの中に組み込まれている取り付け器具が、第１ユニット、第２ユニット、及び第３ユニットよりも大きい重量を保持することができる、実施形態３５の装置。
【０１５７】
３７．  １つ以上の接続機構が、相互連結歯、結合テクスチャ、及び、１つ以上のピンを受け入れるための開口のうちの１つを含む、先行の実施形態３４〜３６のうちのいずれかの取り付け装置。
【０１５８】
３８．  取り付け器具が、フック、クリップ、ループ、及び鋸歯のうちの１つである、先行の実施形態３４〜３７のうちのいずれかの取り付け装置。
【０１５９】
上記の説明は、例示的なものであり、限定するものではない。上記の説明を精査すると、当業者には、多くの他の実施形態が明らかとなるであろう。それゆえ、実施形態の範囲は、添付の請求項を、そのような請求項に与えられる等価物の全範囲と共に参照して決定されるべきである。
【０１６０】
上述の実施形態の説明では、本開示を合理化する目的のために、様々な特徴が単一の実施形態にまとめられている。本開示の方法は、特許請求されている実施形態が、各請求項で明示的に記載されているものよりも多くの特徴を有することを示すものとして、解釈されるべきではない。むしろ、以下の請求項が示すように、本発明の主題は、開示されている単一の実施形態の、全てよりも少ない特徴に存在する。それゆえ、以下の請求項は、本明細書では実施形態の説明に組み込まれ、各請求項は、別個の例示的実施形態として自立している。
【図１】
2019514502.tif 000003
【図２】
2019514502.tif 000004
【図３】
2019514502.tif 000005
【図４】
2019514502.tif 000006
【図５】
2019514502.tif 000007
【図６】
2019514502.tif 000008
【図７】
2019514502.tif 000009
【図８】
2019514502.tif 000010
【図９】
2019514502.tif 000011
【図１０】
2019514502.tif 000012
【図１１】
2019514502.tif 000013
【図１２】
2019514502.tif 000014
【図１３Ａ】
2019514502.tif 000015
【図１３Ｂ】
2019514502.tif 000016
【図１４】
2019514502.tif 000017
【図１５】
2019514502.tif 000018
【国際調査報告】
2019514502.tif 000019
2019514502.tif 000020
2019514502.tif 000021